(57)【特許請求の範囲】
【請求項１】
支持部材により塔体部材に固定されると共に、アンテナがアンテナ支持部材により固定される取付部材を備えたアンテナ固定金具において、
前記取付部材は、複数の視認位置から目視可能な複数個所に、方位を示す基準方位情報及び基準方位情報からの角度情報が表示された角度目盛を備え、
前記角度目盛は、基準方位情報及びこの基準方位情報からの角度情報が表示される第１の目盛が、上方から目視可能な前記取付部材の上部及び下方から目視可能な前記取付部材の下部に設けられる目盛部材に形成され、
前記目盛部材に形成された前記第１の目盛に合わせて、基準方位情報からの角度情報が表示される第２の目盛が、前記アンテナ支持部の取付位置に合わせて前記取付部材に形成され、
前記取付部材は、前記目盛部材に形成された前記第１の目盛の基準方位情報を所定の方位に合わせた向きとして、前記支持部材により前記塔体部材に固定され、
基準方位情報が所定の方位に合わせられた前記取付部材に、前記第２の目盛の角度情報を基準に向きが合わせられた前記アンテナが、前記アンテナ支持部により固定される
ことを特徴とするアンテナ取付金具。
【請求項２】
前記第２の目盛は、前記第１の目盛の基準方位情報と対応する位置の基準方位情報が、角度情報と区別して表記される
ことを特徴とする請求項１記載のアンテナ取付金具。
【請求項３】
前記取付部材は、円筒形状の部材で構成され、前記アンテナ支持部の取付位置に合わせて側面に前記第２の目盛が形成される
ことを特徴とする請求項１または２記載のアンテナ取付金具。
【発明の詳細な説明】
【技術分野】
【０００１】
本発明は、アンテナを塔体部材に取り付けるアンテナ取付金具に関する。
【背景技術】
【０００２】
従来、パンザマストや鉄塔上において、八木型アンテナの水平方向の無線電界調査を行う場合や、アンテナの指向方向を合わせて固定する場合、地上作業者が塔上作業者と連絡をとりながら、トランシットと称される角度を計測する測量機器や方位磁石を用いて角度を測定したり、塔上作業者が方位磁石を用いて基準となる方位を求め、アンテナの向きを調整していた。
【０００３】
しかし、地上作業者と塔上作業者が連絡をとりながら調整を行う作業では、相互に連絡をとりながら調整を行うため、調整に時間が掛かっていた。また、地上とアンテナ設置場所との間に障害物がある場合、最適な位置で指向方向を測定できず、精度が悪くなるおそれがあった。
【０００４】
塔上作業者が方位磁石を用いて基準方位を求める場合、作業姿勢が不安定なため、精度が悪くなるおそれがあった。
【０００５】
これに対し、角度を示す目盛を利用して、アンテナの向きを調整可能とする技術が提案されている（例えば、特許文献１参照）。また、主反射素子と副反射素子を有した可変指向性のアンテナで、主反射素子に角度を示す目盛を設け、主反射素子に対して任意の角度で副反射素子を固定できるようにした技術が提案されている（例えば、特許文献２参照）。
【先行技術文献】
【特許文献】
【０００６】
【特許文献１】特開平６−２５２６２４号公報
【特許文献２】特開２０１０−５０７９１号公報
【発明の概要】
【発明が解決しようとする課題】
【０００７】
しかし、特許文献１の技術では、角度を示す目盛を基準の方位に合わせ、基準方位に対してアンテナの指向方向を合わせることができなかった。また、特許文献２の技術では、主反射素子に形成した角度を示す目盛と副反射素子が離れており、視認位置によっては精度が悪くなるため、特定の視認位置からでないと、角度目盛を基準に副反射素子の角度を調整することができず、作業効率を向上させることができなかった。
【０００８】
本発明は、このような課題を解決するためになされたもので、作業効率を向上させて高精度にアンテナの向きが調整可能なアンテナ取付金具を提供することを目的とする。
【課題を解決するための手段】
【０００９】
上述した課題を解決するため、本発明は、支持部材により塔体部材に固定されると共に、アンテナがアンテナ支持部材により固定される取付部材を備えたアンテナ固定金具において、取付部材は、複数の視認位置から目視可能な複数個所に、方位を示す基準方位情報及び基準方位情報からの角度情報が表示された角度目盛を備え、角度目盛は、基準方位情報及びこの基準方位情報からの角度情報が表示される第１の目盛が、上方から目視可能な取付部材の上部及び下方から目視可能な取付部材の下部に設けられる目盛部材に形成され、目盛部材に形成された第１の目盛に合わせて、基準方位情報からの角度情報が表示される第２の目盛が、アンテナ支持部の取付位置に合わせて取付部材に形成され、取付部材は、目盛部材に形成された第１の目盛の基準方位情報を所定の方位に合わせた向きとして、支持部材により前記塔体部材に固定され、基準方位情報が所定の方位に合わせられた取付部材に、第２の目盛の角度情報を基準に向きが合わせられたアンテナが、アンテナ支持部により固定されるアンテナ取付金具である。
【００１０】
本発明のアンテナ取付金具では、角度目盛の基準方位情報が基準方位に向きを合わせられて、取付部材が支持部材により塔体部材に固定され、基準方位に向きを合わせて固定された取付部材に対して、角度目盛の角度情報を基準に向きが合わせられたアンテナが、アンテナ支持部により固定される。
【発明の効果】
【００１１】
本発明のアンテナ取付金具によれば、角度目盛を利用して、アンテナの指向方向を基準の方位に対して所定の方向に合わせることができ、アンテナ設置時の指向角度の調整や、指向方向の調整が、塔体部材上で作業を行う作業者により高精度にかつ迅速に行えるようになり、作業効率が向上する。
【００１２】
また、角度目盛が下方から目視可能な取付部材の下部に設けられる目盛部材に形成される構成とすることで、高所にアンテナが設置される場合に、塔体部材上の作業者だけでなく、地上にいる作業者も角度目盛を確認可能となり、複数の作業者で、指向方向を確認することができる。
【００１３】
更に、アンテナ支持部の取付位置に合わせて取付部材に角度目盛が形成される構成とすることで、視認位置によらず、角度目盛を基準にしてアンテナ支持部の向きを調整でき、作業効率が向上すると共に、指向方向の調整の精度を向上させることができる。
【図面の簡単な説明】
【００１４】
【図１】本実施の形態のアンテナ取付金具の一例を示す斜視図である。
【図２】本実施の形態のアンテナ取付金具の一例を示す側面図である。
【図３】本実施の形態のアンテナ取付金具の一例を示す平面図である。
【図４】本実施の形態のアンテナ取付金具の使用形態を示す説明図である。
【発明を実施するための形態】
【００１５】
以下、図面を参照して、本発明のアンテナ取付金具の実施の形態について説明する。
【００１６】
＜本実施の形態のアンテナ取付金具の構成例＞
図１は、本実施の形態のアンテナ取付金具の一例を示す斜視図、図２は、本実施の形態のアンテナ取付金具の一例を示す側面図、図３は、本実施の形態のアンテナ取付金具の一例を示す平面図である。また、図４は、本実施の形態のアンテナ取付金具の使用形態を示す説明図である。
【００１７】
本実施の形態のアンテナ取付金具１Ａは、図４（ａ）に示すように、鉄塔の脚部２Ａ、または、図４（ｂ）に示すように、パンザマスト２Ｂ等に、八木型アンテナ等のアンテナ１０を取り付けるために用いられる。以下の説明では、アンテナ取付金具１Ａが取り付けられる鉄塔の脚部２Ａ及びパンザマスト２Ｂ等を総称して、塔体部材２と称す。
【００１８】
アンテナ取付金具１Ａは、アンテナ１０が基準方位に対して任意の角度で固定される取付部材３を備える。取付部材３は、塔体部材取付支持金具４により塔体部材２に取り付けられる。また、取付部材３は、アンテナ支持金具５によりアンテナ１０が取り付けられる。
【００１９】
アンテナ取付金具１Ａは、取付部材３が基準方位に向きを合わせて塔体部材取付支持金具４により塔体部材２に固定され、基準方位に向きを合わせて固定された取付部材３に対して、アンテナ１０が任意の角度でアンテナ支持金具５により固定される。
【００２０】
取付部材３は、所定の長さを有した筒状あるいは柱状の部材で構成される。取付部材３は、取付部材３の回転動作で塔体部材取付支持金具４に任意の角度で固定できるように、塔体部材取付支持金具４による支持位置の断面形状が円形に構成される。また、取付部材３は、アンテナ支持金具５の回転動作でアンテナ１０を任意の角度で固定できるように、アンテナ支持金具５の支持位置の断面形状が円形に構成される。
【００２１】
このため、取付部材３は、本例では、断面形状が円形で、所定の長さを有した円筒形状の部材で構成される。取付部材３は、強度を確保するために金属材料で構成されると共に、軽量化のために中空構造で構成され、例えば、鉄製のパイプが用いられる。
【００２２】
取付部材３は、長手方向に沿った上下の両端に目盛部材３０を備える。目盛部材３０は、取付部材３の長手方向に対して略直交する面を有した円板状の部材が、取付部材３の上下の両端に取り付けられ、円板上の部材の表面に第１の目盛３１が形成される。
【００２３】
第１の目盛３１は角度目盛の一例で、基準方位情報として、所定の方位、本例では真北を示す方位マークＴＮが表示されると共に、角度情報として、方位マークＴＮから円周方向に所定の角度毎に設けられた角度マークＤｅｇが表示される。これにより、第１の目盛３１において、角度マークＤｅｇは、方位マークＴＮで示される真北からの水平方向での角度を示す。ここで、取付部材３の上部に取り付けられる目盛部材３０には、第１の目盛３１と同心となるように、方位磁石が取り付けられる構成としても良い。
【００２４】
取付部材３は、アンテナ支持金具５の支持位置に第２の目盛３２を備える。第２の目盛３２は角度目盛の一例で、取付部材３の円周面に、第１の目盛３１と角度を合わせて形成され、第１の目盛３１の方位マークＴＮを０°として、円周方向に所定の角度毎に設けられた角度マークＤｅｇが表示される。なお、第２の目盛３２は、基準方位情報として、第１の目盛３１の方位マークＴＮと対応する位置の角度マークＤｅｇを、例えば、色を変える等により方位マークとしても良い。
【００２５】
塔体部材取付支持金具４は支持部材の一例で、取付部材３を支持する取付部材把持部４０と、塔体部材２に支持される塔体部材把持部４１と、取付部材把持部４０と塔体部材把持部４１を連結する連結部材４２を備える。
【００２６】
取付部材把持部４０は、取付部材３を挟んで固定する１対の把持金具４０ａ，４０ｂを備える。取付部材把持部４０は、取付部材３を挟む把持金具４０ａと把持金具４０ｂの内面が、取付部材３の円周面に沿うような円形、または、図示しないが取付部材３の円周面が内接するような多角形で構成され、一方の把持金具４０ａが連結部材４２に固定され、他方の把持金具４０ｂがネジ４０ｃで把持金具４０ａに固定される。
【００２７】
アンテナ取付金具１Ａは、取付部材３が把持金具４０ａと把持金具４０ｂの間に挟まれ、ネジ４０ｃが締結されて把持金具４０ｂが把持金具４０ａに固定されることで、取付部材３が取付部材把持部４０により塔体部材取付支持金具４に固定される。上述したように、取付部材３は断面形状が円形であり、円周方向に任意の向きで塔体部材取付支持金具４に固定することが可能である。
【００２８】
塔体部材把持部４１は、取付部材把持部４０と同様な構成で、塔体部材２を挟んで固定する１対の把持金具４１ａ，４１ｂを備える。塔体部材把持部４１は、塔体部材２を挟む把持金具４１ａと把持金具４１ｂの内面が、塔体部材２の円周面に沿うような円形、または、図示しないが塔体部材２の円周面が内接するような多角形で構成され、一方の把持金具４１ａが連結部材４２に固定され、他方の把持金具４１ｂがネジ４１ｃで把持金具４１ａに固定される。
【００２９】
塔体部材取付支持金具４は、把持金具４１ａと把持金具４１ｂの間に塔体部材２が挟まれ、ネジ４１ｃが締結されて把持金具４１ｂが把持金具４１ａに固定されることで、塔体部材把持部４１により塔体部材２に固定される。本例では、塔体部材２は断面形状が円形であり、塔体部材取付支持金具４は塔体部材２の円周方向に任意の向きで固定することが可能である。
【００３０】
取付部材３は、鉛直方向に沿った向きとして、長手方向の上下の２箇所が塔体部材取付支持金具４により塔体部材２に支持される。塔体部材取付支持金具４は、塔体部材２の傾きに応じて、連結部材４２の長さが決められると共に、連結部材４２に対する塔体部材把持部４１の傾きが設定される。
【００３１】
アンテナ支持金具５はアンテナ支持部の一例で、取付部材３に支持される取付部材把持部５０と、アンテナ１０を支持するアンテナ支持部５１を備える。取付部材把持部５０は、取付部材３を挟んで固定する１対の把持金具５０ａ，５０ｂを備える。取付部材把持部５０は、取付部材３を挟む把持金具５０ａと把持金具５０ｂの内面が、取付部材３の円周面に沿うような円形、または、図示しないが取付部材３の円周面が内接するような多角形で構成され、一方の把持金具５０ａがアンテナ支持部５１に固定され、他方の把持金具５０ｂがネジ５０ｃで把持金具５０ａに固定される。
【００３２】
アンテナ支持金具５は、把持金具５０ａと把持金具５０ｂの間に取付部材３が挟まれ、ネジ５０ｃが締結されて把持金具５０ｂが把持金具５０ａに固定されることで、取付部材把持部５０により取付部材３に固定される。上述したように、取付部材３は断面形状が円形であり、アンテナ支持金具５は取付部材３の円周方向に任意の向きで固定することが可能である。なお、アンテナ支持金具５は、取付部材把持部５０に、取付部材３の第２の目盛３２を指す矢印等による指標情報を設けても良い。
【００３３】
アンテナ支持部５１は、取付部材把持部５０から直線状に延在する所定の長さを有した本例では円筒状の部材で構成される。アンテナ１０は、取付具５２によりアンテナ支持部５１に固定される。
【００３４】
＜本実施の形態のアンテナ取付金具の作用例＞
次に、各図を参照して、本実施の形態のアンテナ取付金具１Ａの作用効果例について説明する。
【００３５】
アンテナ取付金具１Ａは、取付部材３が鉛直方向に沿った向きとなるように、塔体部材取付支持金具４が塔体部材把持部４１により塔体部材２に固定され、取付部材３が取付部材把持部４０のネジ４０ｃを緩めておく等により塔体部材取付支持金具４に仮固定の状態で取り付けられる。
【００３６】
アンテナ取付金具１Ａは、目盛部材３０における第１の目盛３１の方位マークＴＮが、基準方位である真北を向くように、取付部材３の向きが回転動作で調整され、方位マークＴＮが真北となる向きで、取付部材把持部４０のネジ４０ｃが締められて、取付部材３が取付部材把持部４０により塔体部材取付支持金具４に固定される。
【００３７】
目盛部材３０は、取付部材３の上下両端に設けられており、鉄塔の脚部２Ａ等、高所にある塔体部材２にアンテナ１０に取り付ける場合、取付部材３の下側の目盛部材３０は、地上にいる作業者が確認可能である。一方、取付部材３の上側の目盛部材３０は、鉄塔等に登っている作業者が確認可能である。
【００３８】
アンテナ取付金具１Ａは、方位マークＴＮが真北に向きを合わせられて、塔体部材取付支持金具４により塔体部材２に固定された取付部材３に対して、アンテナ支持金具５が取付部材把持部５０のネジ５０ｃを緩めておく等により仮固定の状態で取り付けられる。
【００３９】
アンテナ取付金具１Ａは、取付部材３に対するアンテナ支持金具５の回転動作で、アンテナ支持金具５の向きが第２の目盛３２の所望の角度マークＤｅｇに合わせられ、取付部材把持部５０のネジ５０ｃが締められて、アンテナ支持金具５が取付部材把持部５０により取付部材３に固定される。
【００４０】
第２の目盛３２は、アンテナ支持金具５の支持位置に設けられており、塔上の作業者が、任意の視認位置から確認が可能であり、第２の目盛３２を基準にしてアンテナ支持金具５の向きを調整できる。
【００４１】
これにより、基準方位である真北に対して、アンテナ支持金具５が水平方向に所望の角度で取付部材３に固定される。そして、アンテナ支持金具５に、素子が直交するような向きとしてアンテナ１０が取り付けられることで、アンテナ１０は、基準方位である真北に対して、水平方向に所望の角度で塔体部材２に固定される。
【産業上の利用可能性】
【００４２】
本発明は、アンテナを塔体部材に取り付けるアンテナ取付金具に適用される。
【符号の説明】
【００４３】
１Ａ・・・アンテナ取付金具、１０・・・アンテナ、２・・・塔体部材、３・・・取付部材、３０・・・目盛部材、３１・・・第１の目盛、３２・・・第２の目盛、４・・・塔体部材取付支持金具、５・・・アンテナ支持金具
【図１】
0005501947.tif 000002
【図２】
0005501947.tif 000003
【図３】
0005501947.tif 000004
【図４】
0005501947.tif 000005